(57)【要約】ロール角速度センサ（２０）および乗員センサ（４２、５６．１、５６．２、６０．１、６０．２）が、プロセッサ（２６）に動作可能に接続され、このプロセッサは、ロール角速度の測度に応答するロールオーバ状態の検出と、それに応答しての安全拘束システム（３０、３０．１、３０．２、３２．１、３２．２、３６．１、３６．２、３８．１、３８．２、３９．１、３９．２、４０．１、４０．２）の制御とを可能にし、このロールオーバ検出過程に関連する検出基準は、乗員センサからの信号に応答性を有する。一実施態様においては、接触時間が、乗員速度または加速度からの推定値または計測値から推定されて、この推定接触時間が閾値と比較される。推定接触時間が、閾値よりも小さい場合には、安全拘束システムの起動は、禁止されるか、またはロールオーバ検出過程のみによってもたらされる場合に対して早められる。あるいは、起動を遅延させて、ロールオーバ検出のための追加の時間を提供することができる。
2006501092.tif 000002
【特許請求の範囲】
【請求項１】
ａ．車両に動作可能に結合されて、車両のロール軸回りのロール速度を計測するように適合されたロール角速度センサであって、前記ロール軸が車両の縦方向軸と実質的に一致している前記ロール角速度センサ；
ｂ．車両内の乗員の存在または位置に応答して、車両の内部境界に対する近接度または位置の測度を提供する乗員センサ；および
ｃ．前記ロール角速度センサと前記乗員センサとに動作可能に結合されて、前記ロール角速度センサからの信号に応答する予測ロールオーバ状態の検出に応答して、安全拘束システムを制御するための信号を生成するように適合されたプロセッサであって、前記乗員センサからの信号に応答して、前記安全拘束システムを制御するための前記信号に関連する検出基準を修正するように適合された前記プロセッサを含む、車両のロールオーバ状態を検出するシステム。
【請求項２】
乗員センサが、乗員の頭部の位置に応答性を有する、請求項１に記載の車両のロールオーバ状態を検出するシステム。
【請求項３】
乗員センサが、乗員の胴部の位置に応答性を有する、請求項１に記載の車両のロールオーバ状態を検出するシステム。
【請求項４】
乗員センサが、容量性センサ、能動式赤外線センサ、受動式赤外線センサ、視覚センサ、レーザーセンサ、光学センサ、レーダーセンサ、マイクロ波センサ、音波センサ、多点シート重量分布センサ、および電界センサから選択される少なくとも１つのセンサを含む、請求項１に記載の車両のロールオーバ状態を検出するシステム。
【請求項５】
プロセッサが、ロール角速度センサからの信号を積分することによってロール角の測度を特定するように適合されているとともに、安全拘束システムを制御するための信号が、前記ロール角の測度にさらに応答性を有する、請求項１に記載の車両のロールオーバ状態を検出するシステム。
【請求項６】
車両に動作可能に結合されて、実質的に横方向の車両の加速度を計測するように適合された加速度計をさらに含むとともに、安全拘束システムを制御するための信号が、前記加速度計からの信号にさらに応答性を有する、請求項１に記載の車両のロールオーバ状態を検出するシステム。
【請求項７】
ａ．車両の縦方向軸と実質的に一致するロール軸の回りの、車両のロール角速度の測度の取得を可能にすること；
ｂ．車両内における乗員位置の測度の取得を可能にすること；および
ｃ．安全拘束システムを制御するための信号の生成を可能にすることを含み、前記安全拘束システムを制御するための信号が、前記ロール角速度の測度とともに検出基準に応答性を有し、該検出基準が、前記乗員位置の測度に応答性を有する、車両のロールオーバ状態の検出を可能にする方法。
【請求項８】
検出基準に関連する展開閾値を、乗員位置の測度に応答性を有するオフセットによって変化させる、請求項７に記載の車両のロールオーバ状態の検出を可能にする方法。
【請求項９】
検出基準に関連する展開閾値を、乗員位置の測度に応答性を有する係数によって倍率変更する、請求項７に記載の車両のロールオーバ状態の検出を可能にする方法。
【請求項１０】
検出基準に関連する展開閾値が、乗員位置の測度の変化速度に応答性を有する、請求項７に記載の車両のロールオーバ状態の検出を可能にする方法。
【請求項１１】
ａ．ロール角速度の測度からロール角の測度の特定または取得を可能にすること；
ｂ．前記ロール角速度の測度と前記ロール角の測度との位相空間における閾値関数の特定を可能にすること；
ｃ．乗員位置の測度に応じて前記閾値関数の修正を可能にすること；および
ｄ．前記ロール角速度の測度と前記ロール角の測度との組み合わせを含む位相空間内の測度と、前記閾値関数との比較を可能にすることをさらに含み、安全拘束システムを制御するための信号が、前記位相空間内の測度と前記閾値関数とを比較する操作に応答性を有する、請求項７に記載の車両のロールオーバ状態の検出を可能にする方法。
【請求項１２】
閾値関数が、位相空間内の関数、位相空間内の区分性関数、または位相空間内のテーブル参照のいずれかを含む、請求項１１に記載の車両のロールオーバ状態の検出を可能にする方法。
【請求項１３】
閾値関数を修正する操作が、乗員位置の測度に応答してロール角速度オフセットを特定すること、および前記閾値関数から前記ロール角速度オフセットを減じることを含む、請求項１１に記載の車両のロールオーバ状態の検出を可能にする方法。
【請求項１４】
安全拘束システムを制御するための信号の生成を可能にする操作が、
ａ．車両の横加速度の測度の取得を可能にすること；
ｂ．前記横加速度の測度とロール角速度の測度とに応答性して良度指数の特定を可能にすること；
ｃ．乗員位置の測度に応答して良度指数閾値の特定を可能にすること；および
ｄ．前記良度指数と前記良度指数閾値とを比較することによるロールオーバ状態の検出を可能にすることを含む、請求項７に記載の車両のロールオーバ状態の検出を可能にする方法。
【請求項１５】
ａ，少なくとも乗員の一部分が車両の内部部分と接触する、接触時間を推定すること；
ｂ．前記接触時間を、安全拘束システムを乗員と相互作用する以前に展開するのに必要な時間間隔に対応する第１の閾値と比較すること；および
ｃ．前記接触時間と前記第１の閾値を比較する操作に応答して、前記安全拘束システムを制御するための信号を適合させることをさらに含む、請求項７に記載の車両のロールオーバ状態の検出を可能にする方法。
【請求項１６】
接触時間を推定する操作が、車両に対する乗員の速度を推定または計測することを含む、請求項１５に記載の車両のロールオーバ状態の検出を可能にする方法。
【請求項１７】
異なる時間における乗員位置の測度を記憶することをさらに含むとともに、接触時間を推定する操作が、車両に対する乗員の加速度を推定または計測することを含む、請求項１５に記載の車両のロールオーバ状態の検出を可能にする方法。
【請求項１８】
接触時間を推定する操作が、それぞれ異なる時間における、乗員位置の複数の測度に応答性を有する、請求項１５に記載の車両のロールオーバ状態の検出を可能にする方法。
【請求項１９】
接触時間が第１の閾値よりも小さい場合には、安全拘束システムを制御するための信号を修正することをさらに含む、請求項１５に記載の車両のロールオーバ状態の検出を可能にする方法。
【請求項２０】
安全拘束システムを制御するための信号を修正する操作が、そうでない場合には予想ロールオーバ状態の検出に応答して実施するよりも早く、前記安全拘束システムを展開させることを含む、請求項１９に記載の車両のロールオーバ状態の検出を可能にする方法。
【請求項２１】
安全拘束システムを制御するための信号を修正する操作が、前記安全拘束システムの展開を禁止することを含む、請求項１９に記載の車両のロールオーバ状態の検出を可能にする方法。
【請求項２２】
安全拘束システムを制御するための信号を修正する操作が、前記安全拘束システムの展開を遅延させることを含む、請求項１９に記載の車両のロールオーバ状態の検出を可能にする方法。
【請求項２３】
安全拘束システムの展開を遅延させる操作が、接触時間と第１の閾値との差が、第２の閾値より小さくなるまで、前記展開を遅延させることを含む、請求項２２に記載の車両のロールオーバ状態の検出を可能にする方法。
【発明の詳細な説明】
【発明の詳細な説明】
【０００１】
車両のロールオーバが発生する場合、特に頭部接触時間（head closure time）が比較的短い種類のロールオーバにおいて、頭部が車両のインテリアと最初に接触する以前に、例えばシートベルトプリテンショナ、エアバッグまたはロールカーテンなどの関連する安全拘束アクチュエータを展開する時間余裕をもって、車両のロールオーバの判別を可能にする車両ロールオーバ検出システムが要求されている。例えば、ロールオーバの事象によっては、車両が完全にロールオーバするかどうかを、ロール回転事象の物理法則から確実に判断できる以前に、頭部接触が生じてしまうことがある。またロールオーバが比較的低速の事象か、あるいは比較的高速の事象であるかに応じて、車両のロールオーバを十分迅速に判別するロバストな車両ロールオーバ検出システムに対する要求もある。    
図１ａを参照すると、車両１２にロールオーバ検出システム１０が搭載されている。車両１２は、局所デカルト座標系で示してあり、Ｘ軸は前方を正とした車両の縦方向軸と一致し、またＹ軸は左方向を正とした車両の横方向軸と、Ｚ軸は上向きを正とした車両の垂直軸と一致している。車両１２の質量をＭとすると、それに対応する重心ＣＧは、地上からＺ０の高さに位置している。図では車両１２は、障害物１４に向かってＹ軸負方向に、速度Ｕでスライドしている。
【０００２】
図１ｂを参照すると、車両１２の１つまたは複数の車輪１６が障害物１４と係合すると、そこから発生する反力Ｆによって、車両１２はトリップポイント１３に対してＸ軸回りに、時間変化する角速度ωｘ(t)で回転し、これによって時間変化する角度位置θ（t）を生じる。ここで関連する回転軸回りの車両１２の慣性モーメントはＩｘであり、この回転軸はＸ軸と平行でトリップポイント１３と交叉する。車両１２の回転によって、重心ＣＧの高さＺＣＧは、障害物１４との接触の以前の高さＺ０に対して増大し、これによって車両１２の位置エネルギ
【数１】
2006501092.tif 000003
が、係合以前の位置と方向に対して増大する。つまり、車両１２の位置エネルギは、その角度位置θに依存する。また、回転と共に車両１２には、回転エネルギ
【数２】
2006501092.tif 000004
が生じる。反力Ｆによっても、Ｙ軸に沿った横加速度成分Ａｙ（ｔ）で示すように、重心ＣＧの直線加速度
【数３】
2006501092.tif 000005
が生じる。図１ａおよび１ｂは、車両がスライドして障害物と衝突することによって生じるロール事象を示すが、例えばタイヤの破裂によって、その後に関連する車輪リムが接地するなど、ロール事象は別の状況によっても生じる可能性があることはいうまでもない。したがって、ロールオーバ検出システム１０は、特定の種類のロール事象に限定されるものではない。
【０００３】
図２を参照すると、ロールオーバ検出システム１０は、横加速度計１８と角速度センサ２０を備え、これらは必要条件ではないが、車両１２の重心ＣＧに近接して装着するのが好ましい。横加速度計１８は、局所Ｙ軸に沿った、時間変化する横加速度成分Ａｙ(t)に応答性を有する。例えば、横加速度計１８は、少なくとも１軸の感度を有するマイクロマシン加工による加速度計など、局所Ｙ軸に実質的に一致する１つの感度軸を有する加速度計でもよい。角速度センサ２０、例えばジャイロスコープは、局所Ｘ軸回りの角速度の時間変化成分に応答性を有するように、方位が決められる。横加速度計１８と角速度センサ２０は、それぞれのフィルタ２２、２４に動作可能に接続され、それぞれの信号Ａｙ(t)およびωｘ(t)を、メモリ２８を有するプロセッサ２６で処理するために、これらのフィルタでフィルタリングする。これらのフィルタ２２、２４は、当業者には知られているように、プロセッサ２６と分離式にしても、組み込み式にしてもよく、またアナログ式でもデジタル式でも、あるいはその組合せでもよいことを理解すべきである。またフィルタ２２、２４はそれぞれの横加速度計１８または角速度センサ２０の部分となるように適合させてもよい。
【０００４】
プロセッサ２６は、それぞれのフィルタリングされた信号
【数４】
2006501092.tif 000006
を処理し、車両がロールオーバする可能性があるかどうかを判別し、その結果に応じて、適切な安全拘束アクチュエータ３０の作動を制御して、車両１２の乗員へのロールオーバ傷害を軽減する。プロセッサ２６は例えば、デジタルコンピュータ、マイクロプロセッサもしくはその他のプログラム可能なデバイス、アナログプロセッサ、アナログもしくはデジタル回路、またはそれらの組合せとすることができる。さらに、安全拘束アクチュエータ３０としては、それに限定されるわけではないが、シートベルト３４に動作可能に接続されたシートベルトプリテンショナ３２、ロールオーバおよび側面衝突事故の両方からの保護をする胸部エアバッグインフレータ３６、乗員と車両１２の側面ウインド３９との間に展開するように適合されたロールカーテン３８、車両１２のルーフまたはヘッドライナからエアバッグを展開するように適合させたオーバヘッド型エアバッグインフレータ４０などを含めてもよい。図２では車両１２の一方の座席についての安全拘束アクチュエータを示してあるが、安全拘束アクチュエータはすべての座席に備えることが可能であり、関連する安全拘束アクチュエータ３０が、乗員の傷害を軽減するように適合されている、すべての方向のロールオーバに応じて、これらの安全拘束アクチュエータ３０の任意の１つ、あるいはすべてを、ロールオーバ検出システム１０で制御するように適合させることができる。また、特定の安全拘束アクチュエータ３０の組合せが、上記のすべての安全拘束アクチュエータを必ずしも含む必要はなく、上記以外の他形式の安全拘束アクチュエータ３０を含んでもよい。
【０００５】
図３を参照すると、車両のロールオーバを検出して、例えば図２に示した装置によって、１つまたは複数の関連する安全拘束アクチュエータ３０の作動を制御するロールオーバ検出アルゴリズム１００の一実施態様には、データ収集および処理アルゴリズム１５０、測度アルゴリズム（measures algorithm）３００．１、エネルギアルゴリズム３００．２、安全化アルゴリズム２００、およびそれに応じて安全拘束アクチュエータ（１つまたは複数）３０の作動を制御する信号３４２を生成する、関連するロジック３３０’、３４０の組合せが含まれる。
測度アルゴリズム３００．１は、ロールオーバ状態を検出するのに、経験則的な、時間域判別処理を使用しており、通常車両の大きな横方向作用力を伴い、比較的速い頭部接触時間（例えば＜２５０ｍｓｅｃ）を特徴とする、ほとんどのロールオーバ事象に対して、展開時間を短縮する上で有利である。測度アルゴリズム３００．１では、フィルタリングされた
【数５】
2006501092.tif 000007
信号およびフィルタリングされた
【数６】
2006501092.tif 000008
信号の両方を使用して、別の基準と共に展開決定を行うために用いる閾値と比較するための関数が評価される。
【０００６】
エネルギアルゴリズム３００．２は、車両のロールオーバ発生過程に関する物理則に基づいて、位相空間判別処理を使用して、ロールオーバ状態を検出するものであり、主として車両の垂直方向力または車両１２に対する低い横方向力によって生ずる低速のロール事象に対する信頼性のある展開判断をする上で有利である。エネルギアルゴリズム３００．２は、フィルタリングされた角速度信号を利用して、車両１２のロール状態を同定し、その瞬間的な全エネルギ（回転運動エネルギと位置エネルギ）と、関連する平衡点を超えて車両をロール回転させるのに要するエネルギとを比較する。エネルギアルゴリズム３００．２は、関連する入口基準および出口基準に、フィルタリングされた
【数７】
2006501092.tif 000009
信号と、フィルタリングされた
【数８】
2006501092.tif 000010
信号の両方を使用する。
【０００７】
図３には測度アルゴリズム３００．１とエネルギアルゴリズム３００．２とを組み合わせて使用する場合を示しているが、このことは本質的ではなく、いずれのアルゴリズムも単独で使用することもできることを理解すべきである。しかしながら、アルゴリズムを組み合わせることによって、関連するロールオーバ検出システム１０のロバスト性を増大させることができる。この理由は、例えば「縁石走行（curb-trip）」状態のような状態においては、測度アルゴリズム３００．１は、エネルギアルゴリズム３００．２よりも迅速な判別を実施できるが、これに対して「螺旋状（corkscrew）」、「ランプ状（ramp）」、または「フリップ状(flip)」などのその他の状態においては、エネルギアルゴリズム３００．２の方が、測度アルゴリズム３００．１よりも迅速な判別が可能である。
測度アルゴリズム３００．１およびエネルギアルゴリズム３００．２は、互いに独立であるが両者とも、データ収集および処理アルゴリズム１５０からのフィルタリングされた共通のデータ、すなわちフィルタリングされた
【数９】
2006501092.tif 000011
およびフィルタリングされた
【数１０】
2006501092.tif 000012
のデータを利用する。測度アルゴリズム３００．１およびエネルギアルゴリズム３００．２の両方とも、関連する入口基準および出口基準に特徴があり、それぞれのアルゴリズムに関連する計算は、それぞれの関連する入口基準が満たされた場合に開始され、それぞれの関連する出口基準が満たされた場合には、これらの計算は停止されて、その後に入口基準が満たされるとリセットされる。
【０００８】
安全化アルゴリズム(safing algorithm)２００は、１つまたは複数の対応する安全化拘束アクチュエータ３０を展開可能にするために満たさなくてはならない、フィルタリングされた
【数１１】
2006501092.tif 000013
および／またはフィルタリングされた
【数１２】
2006501092.tif 000014
に依存する、独立した条件セット、または安全化基準を提供ことによって、ロールオーバ検出システム１０の信頼性を向上させることができる。測度アルゴリズム３００．１とエネルギアルゴリズム３００．２の両方とも、共通の安全化アルゴリズム２００によって、それぞれ「安全化」される。安全化アルゴリズム２００によって、追加の判別を行い、非ロールオーバ事象に対しての安全拘束アクチュエータ３０の不要な作動を緩和することが可能となるが、安全化アルゴリズム２００は本質的なものではなく、測度アルゴリズム３００．１およびエネルギアルゴリズム３００．２は、いずれも単独で使用することも、互いに組み合わせて使用することも可能であり、また安全化アルゴリズム２００を伴っても、伴わなくても使用可能であることを理解すべきである。
【０００９】
ロールオーバ検出アルゴリズム１００の作動に際して、データ収集および処理アルゴリズム１５０からのデータに応じて、測度アルゴリズム３００．１または（ＯＲ３３０’）エネルギアルゴリズム３００．２が車両のロールオーバ状態を検出し、かつ（ＡＮＤ３４０）安全化アルゴリズム２００が関連する独立の安全化条件が満たされると判断した場合、ステップ（３５０）において、車両１２が実際にロールオーバするかしないにかかわらず、そのロールオーバ事象によって起こり得る関連する車両の乗員への傷害を軽減するために、１つまたは複数の安全拘束アクチュエータ３０が展開される。
以下に図３〜７に示すフローチャートを参照して、データ収集および処理アルゴリズム１５０、安全化アルゴリズム２００、測度アリゴリズム３００．１およびエネルギアルゴリズム３００．２について説明する。図６は、測度アルゴリズム３００．１およびエネルギアルゴリズム３００．２の両方の一般的なアルゴリズム構造のフローチャートを示しており、測度アルゴリズム３００．１とエネルギアルゴリズム３００．２の個々の詳細は図８ａ〜８ｃに表で示してある。アルゴリズムは数学的に記述してあり、応用例に特有の定数についてはパラメータを用いており、これらのパラメータを、特定の種類の車両について例となる数値とあわせて、図９ａおよび９ｂに示してある。これらのパラメータは通常、例えば車両プラットフォームなどの特定の応用例に適合させるものであること、また図９ａおよび９ｂに示すパラメータの具体的な数値は説明のためだけのものであり、本発明の範囲を限定するものと考えるべきではないことはいうまでもない。
【００１０】
図４を参照すると、データ収集および処理アルゴリズム１５０は、ステップ（１５２）において横加速度計１８から横加速度成分Ａｙの計測値を取得し、ステップ（１５８）において角速度センサ２０から縦方向角速度ωｘすなわちロール角速度の計測値を取得する。１００回以上のロールオーバ試験のデータから、ロールオーバに伴う角速度ωｘすなわちロール角速度は、一般に±３００度／秒
【数１３】
2006501092.tif 000015
であり、それに伴う横加速度成分Ａy(t)は一般に±２０ｇ
【数１４】
2006501092.tif 000016
の範囲にあることがわかった。これらのそれぞれの限界値を超える横加速度成分Ａｙ(t)および角速度ωｘは、それぞれステップ（１５４）および（１６０）において、それぞれその値で刈り込まれる。例えば、関連する範囲が±２０ｇの例については、−２０ｇ未満の横加速度成分Ａｙ(t)の測定値は、ステップ（１５４）においてその値が−２０ｇに設定される。横加速度計１８と角速度センサ２０の極性は、角速度ωｘ信号および横加速度成分Ａｙ信号の対応する極性が、ロール発生中は互いに同じになるように設定される。一般に横加速度計１８からの信号を刈り込むレベル
【数１５】
2006501092.tif 000017
は、２０ｇまたは横加速度計１８の測定範囲のいずれかの最小値に設定される。同様に、角速度センサ２０からの信号を刈り込むレベル
【数１６】
2006501092.tif 000018
は、３００度／秒または角速度センサ２０の測定範囲のいずれかの最小値に設定される。
【００１１】
横加速度計１８および角速度センサ２０それぞれからの、横加速度成分Ａｙおよび角速度ωｘの生データは、それぞれステップ（１５６）および（１６２）において、それぞれのフィルタ２２、２４によってフィルタリングされて、それぞれフィルタリングされた
【数１７】
2006501092.tif 000019
およびフィルタリングされた
【数１８】
2006501092.tif 000020
となる。フィルタリングされた測定値を使用することは、ロール判別アルゴリズムの誤開始を避けること、および測度アルゴリズム３００．１およびエネルギアルゴリズム３００．２による関連する判別処理を改善することにおいて有利である。フィルタ２２、２３は、例えば１０から１５ミリ秒の間の移動平均ウインドＴＡｖｇを有する移動平均フィルタとして、迅速な信号応答とノイズ低減とを適切に妥協させる。例えば、プロセッサ２６は、以下に仮定するように、角速度ωｘ信号および横加速度成分Ａｙ信号を、サンプリング速度２５００Ｈｚ（サンプリング周期ｄｔ＝０．４ミリ秒に対応）、ウインド１２．８ミリ秒で均一にサンプリングし、各信号についての移動平均が、収集された最新の３２のサンプルから計算される。移動平均の個々のサンプルは、通常均一に重みづけされるが、別の選択として不均一に重み付けすることもできる。
【００１２】
一般に、横加速度計１８および角速度センサ２０は、オフセットおよび／またはドリフト誤差（一般にセンサオフセット誤差と呼ばれる）を示す可能性があり、これを補償しない限り、関連するロール検出誤差が生じる可能性がある。このセンサオフセット誤差は、フィルタリングされた
【数１９】
2006501092.tif 000021
およびフィルタリングされた
【数２０】
2006501092.tif 000022
を出力する上記の移動平均フィルタよりも、大幅に低い有効カットオフ周波数、あるいは言い換えると大幅に大きい有効フィルタ時間定数を有する、関連するフィルタを用いてセンサ計測値をフィルタリングすることによって評価される。例えば、
【数２１】
2006501092.tif 000023
は、ステップ（１６８）および（１７０）におけるそれぞれの移動平均フィルタによって、関連する角速度ωｘおよび横加速度成分Ａｙそれぞれの計測生データをフィルタリングして得られ、この各移動平均フィルタは関連するウインド幅
【数２２】
2006501092.tif 000024
例えば約４秒を有する。
【００１３】
ステップ（１６４）から、フィルタリングされた
【数２３】
2006501092.tif 000025
の値は測度アルゴリズム３００．１およびエネルギアルゴリズム３００．２の両方が開始されていないときにのみ更新され、これは関連する両フラグONGOING_EVENT_FLAGs（進行イベントフラグ）、すなわちONGOING_MEASURES_EVENT_FLAG（進行メジャーズイベントフラグ）およびONGOING_ENERGY_EVENT_FLAG（進行エネルギイベントフラグ）の両方が設定されていないことで示される。したがって、ステップ（１６６）において、比較的長時間のフィルタリングを施された
【数２４】
2006501092.tif 000026
の値は、関連する横加速度成分Ａｙおよび角速度ωｘが、関連するセンサオフセット値と大幅に異なる可能性のある時間間隔においては、更新されない。
【００１４】
図４では、角速度ωｘの収集および処理の以前に、横加速度成分Ａｘの収集および処理を示しているが、相対的な順序は逆になることもあり、またこれらの操作が並行して実行されることもあることを理解すべきである。
測度アルゴリズム３００．１、エネルギアルゴリズム３００．２、および安全化アルゴリズム２００のそれぞれにおいては、対応するセンサオフセット、すなわち
【数２５】
2006501092.tif 000027
をそれぞれ減じることにより補償した、フィルタリングされた
【数２６】
2006501092.tif 000028
およびフィルタリングされた
【数２７】
2006501092.tif 000029
を使用することによって、対応する補償横加速度成分
【数２８】
2006501092.tif 000030
および補償角速度
【数２９】
2006501092.tif 000031
がそれぞれ求められる。
【００１５】
図５を参照すると、安全化アルゴリズム２００は、ステップ（２０２）から始まり、ここで関連する両フラグSAFING_EVENT_FLAGs（安全化イベントフラグ）、すなわちACCELERATION_SAFING_EVENT_FLAG（加速度安全化イベントフラグ） および ROLL_SAFING_EVENT_FLAG（ロール安全化イベントフラグ）が最初にリセットされる。次いで、ステップ（２０４）において、ONGOING_EVENT_FLAGsフラグ（すなわちONGOING_MEASURES_EVENT_FLAGまたはONGOING_ENERGY_EVENT_FLAG）のいずれかが設定されていることでわかるように、測度アルゴリズム３００．１またはエネルギアルゴリズム３００．２のいずれかが開始されている場合には、次のステップ（２０６）において、
【数３０】
2006501092.tif 000032
の絶対値が第３の加速度閾値
【数３１】
2006501092.tif 000033
よりも大きい場合に、次のステップ（２０８）において、ACCELERATION_SAFING_EVENT_FLAGが設定される。そうでない場合には、ステップ（２０４）から、ステップ（２０２）に戻り処理が反復される。
【００１６】
ステップ（２０８）に続いて、あるいはステップ（２０６）に続いて、ステップ（２１０）において、
【数３２】
2006501092.tif 000034
の絶対値が第３の角速度閾値
【数３３】
2006501092.tif 000035
よりも大きい場合に、ステップ（２１２）でROLL_SAFING_EVENT_FLAGが設定される。これに次いで、あるいはステップ（２１０）から、ステップ（２０４）に戻り反復処理される。したがって、測度アルゴリズム３００．１およびエネルギアルゴリズム３００．２の少なくとも１つに入った後で、かつ両者から出る以前に、安全化アルゴリズム２００に関連する横加速度および角速度の条件が満たされると、それが必ずしも同時でなくても、それぞれの関連する安全化イベントフラグSAFING_EVENT_FLAGsが次に設定されて、測度アルゴリズム３００．１またはエネルギアルゴリズム３００．２のいずれかによるロール状態の検出に応じて１つまたは複数の安全拘束アクチュエータの展開が可能となる。それぞれのSAFING_EVENT_FLAGsは個別に設定、またはラッチされるが、両者は同時にリセットされると共に、測度アルゴリズム３００．１またはエネルギアルゴリズム３００．２に応じて１つまたは複数の関連する安全拘束アクチュエータ３０を作動させるためには、両方が設定されていなくてはならない。
【００１７】
代替案として、安全化アルゴリズム２００を、前記のフラグの１つだけと、関連する基準だけを組み込むように適合させることによって、安全化基準が、測度アルゴリズム３００．１またはエネルギアルゴリズム３００．２のいずれかの開始時刻に続く、第１ポイント時刻における第３の加速度閾値
【数３４】
2006501092.tif 000036
よりも大きい
【数３５】
2006501092.tif 000037
の絶対値と、開始時刻に続く第２ポイント時刻における第３の角速度閾値
【数３６】
2006501092.tif 000038
よりも大きい
【数３７】
2006501092.tif 000039
の絶対値の、少なくとも一方に応答するようにしてもよく、この場合に開始時刻とは、関連する測度アルゴリズム３００．１またはエネルギアルゴリズム３００．２について、関連する入口基準が満たされる時刻であり、開始時刻に続く、第１ポイントおよび第２ポイント時刻は互いに任意である。例えば、エネルギアルゴリズム３００．２は、エネルギアルゴリズム３００．２の開始時刻に続くある時刻における、第３の加速度閾値
【数３８】
2006501092.tif 000040
よりも大きな
【数３９】
2006501092.tif 000041
だけに応答して「安全化」させることもできる。
【００１８】
ロールオーバ検出システム１０は、測度アルゴリズム３００．１またはエネルギアルゴリズム３００．２の実装用とは別個のマイクロプセッサを用いて安全化アルゴリズム２００を実装することによって信頼性を改善するように適合させてもよく、この場合には安全化アルゴリズム２００が進行イベントフラグONGOING_EVENT_FLAGsを認識しない場合には、これらのフラグに応じて安全化イベントフラグSAFING_EVENT_FLAGsをリセットするかわりに、１つまたは複数の安全化アクチュエータ３０が展開されるまで、あるいは両アルゴリズムが終了してしまうことになるまで、安全化条件が作動状態に維持されるように、一方の安全化基準が最後に満たされた時刻から、ある遅延、例えば
【数４０】
2006501092.tif 000042
（例えば１２秒）を設けてリセットしてもよい。
【００１９】
測度アルゴリズム３００．１およびエネルギアルゴリズム３００．２のそれぞれは、図６に示す全体アルゴリズム構造に従って作動し、これらのアルゴリズムはそれぞれ、すべて参照番号３００で示してある。特定の参照番号に小数点番号をつけることによって、個別のアルゴリズムを参照することにする。例えば、一般的な全体処理は参照番号３００で表し、測度アルゴリズムは３００．１で、エネルギアルゴリズムは３００．２で表す。別の例をあげると、全般のアルゴリズム計算ステップは参照番号３２６で表すが、参照番号３２６．１は測度アルゴリズム３００．１のアルゴリズム計算ステップを特に表し、参照番号３６２．２はエネルギアルゴリズム３００．２のアルゴリズム計算ステップを表す。特定のアルゴリズムステップに関連する特定の方程式は、各アルゴリズムについて、図８ａ〜８ｃに表形式で示し、関連するパラメータとその例としての値を、図９ａ、９ｂに表形式で示してある。
【００２０】
図６を参照すると、全体ロール処理アルゴリズムはステップ（３０２）から開始され、対応する進行イベントフラグONGOING_EVENT_FLAGがリセットされる。このONGOING_EVENT_FLAGが設定されることは、ロール処理アルゴリズムの入口基準が満たされ、対応する出口基準は満たされず、したがって関連するアルゴリズムが作動状態であることを示す。次いでステップ（１５０）において、前述のデータ収集および処理アルゴリズム１５０に従って、このアルゴリズムで用いられる関連データが、収集かつ処理される。次いでステップ（３０４）において、ONGOING_EVENT_FLAGが設定されていない場合、つまり潜在的なロール事象からのデータを処理中ではなく、車両１２にロール事象が生じていないことを示す場合には、ステップ（３０６）において１組の入口基準が評価されて関連する閾値と比較され、入口基準が満たされる場合には、ステップ（３０８）においてONGOING_EVENT_FLAGが設定され、かつステップ（３１０）において、例えばアルゴリズム関連する様々な動的変数を初期化することによって、アルゴリズムが開始される。
【００２１】
あるいはステップ（３０４）から、進行イベントフラグONGOING_EVENT_FLAGが設定されており、潜在的なロール事象からのデータが処理中であることを示す場合には、ステップ（３１２）において、関連する時間の測度、例えばサンプル計数が更新されて、ステップ（４００）で、新規に収集されたデータが評価されて、センサ（つまり横加速度計１８または角速度センサ２０）を再較正する必要があるかどうかが判断される。ステップ（４００）に関連する処理を図７に示してあり、以下により詳細を説明する。
ステップ（４００）から、１つ又は複数のセンサが再較正を必要とする場合、ステップ（３１４）において再較正を必要とする１つまたは複数のセンサが再較正される。例えば、横加速度計１８および角速度センサ２０の両方が試験可能であり、既知の刺激をセンサに与え、対応するセンサ出力が既知の刺激と一致するように較正することができる。例えば、横加速度計１８が、マイクロマシン加工による、スプリング要素の梁で懸架されたマス要素を含むものであれば、マス要素とハウジングの間に静電場を印加して、基準加速度レベルに相当する量だけ梁を撓ませる。
【００２２】
次いで、歪センシング要素からの出力が、基準加速度レベルに一致するように較正係数を計算する。ステップ（３１６）において、ステップ（３１４）の処理が、１つまたは複数のセンサが故障していることを示す場合、例えばセンサに試験刺激を加えるか否かにかかわらず、出力に実質的に変化がない場合には、ステップ（３１８）において、故障状態が設定され、警報装置、例えばライトが作動して車両１２のドライバに警告し、ロールオーバ検出システムによる安全拘束アクチュエータ３０の展開を不能とする。あるいはステップ（３１６）から、すなわち横加速度計１８および角速度センサ２０の両方ともが故障していない場合には、ステップ（３２０）において、両フラグONGOING_EVENT_FLAGs、すなわちONGOING_MEASURES_EVENT_FLAGおよびONGOING_ENERGY_EVENT_FLAGが、少なくとも１つのセンサの再較正が行われたことに応じてリセットされて、ステップ（１５０）から新たな処理が反復される。
【００２３】
あるいはステップ（４００）から、どのセンサも再較正の必要がない場合には、ステップ（３２２）において出口基準が評価されて、ステップ（３０６）における入口基準を再び満たしてアリゴリズムに再び入る時刻まで、アルゴリズムから退出するかどうかが決定される。ステップ（３２２）からは、出口基準が満たされる場合には、ステップ（３２４）においてアルゴリズムがエネルギアルゴリズム３００．２であり、かつエネルギアルゴリズム３００．２がステップ（３０６）で連続して登録され、かつ次いでタイムアウト
【数４１】
2006501092.tif 000043
の結果ステップ（３２２）で退出し、ステップ（３２２）で退出した直後に、例えばアルゴリズムの次回反復中にステップ（３０６）で再び入る場合には、ステップ（３２２）においてｐ回（例えばｐ＝３）連続で退出した後に、上述のようにステップ（３２４）からの処理が継続されて、センサが診断され、必要な場合には再較正される。あるいはステップ（３２４）から、関連する進行フラグONGOING_EVENT_FLAG、すなわちONGOING_MEASURES_EVENT_FLAGまたはONGOING_ENERGY_EVENT_FLAGがステップ（３２０）でリセットされて、ステップ（１５０）から新しい処理が反復される。
【００２４】
あるいは、ステップ（３２２）からは、アルゴリズムがステップ（３０６）で登録され、かつステップ（３２２）で退出していない場合に、ステップ（３１０）またはステップ（３１２）のいずれかからの時間測度の特定の値にしたがって、アルゴリズムの特定の反復について、関連するアルゴリズム計算が実施される。次いで、ステップ（３３０）において、関連するアルゴリズム検出基準が、アルゴリズムの特定の反復において満たされ、かつステップ（３４０）において安全化イベントフラグSAFING_EVENT_FLAG(s)、すなわちACCELERATION_SAFING_EVENT_FLAGおよび  ROLL_SAFING_EVENT_FLAGが設定されている場合には、ステップ（３５０）においてロール事象が検出され、関連する安全拘束アクチュエータ３０が作動される。逆に、ステップ（３３０）においてアルゴリズム検出基準が満たされない場合、またはステップ（３４０）において、すべての安全化イベントフラグが非設定であり、関連する安全化基準が、測度アルゴリズム３００．１またはエネルギアルゴリズム３００．２の実行中のある時刻において満たされない場合には、ステップ（１５０）から始まる次の反復が継続される。
【００２５】
測度アルゴリズム３００．１およびエネルギアルゴリズム３００．２の両方とも、データ収集および処理アルゴリズム１５０からの横加速度成分Ａｙおよび縦方向角速度ωｘ の計測値に依存するが、各アルゴリズムに関連するその他の変数およびパラメータは互いに独立であり、同様にステップ（３０６）における関連する入口基準、ステップ（３１０）におけるアルゴリズム初期化、ステップ（３２２）における関連する出口基準、ステップ（３２６）におけるアルゴリズム計算、およびステップ（３３０）におけるアルゴリズム判断基準も独立であり、これらのすべてについての例を図８ａ，８ｂ、８ｃ、９ａ、および９ｂに詳細に示してある。例えば、各アルゴリズムは開始からの時間測度を決定し、縦方向角速度ωｘの計測値を積分することによってロール角の測度を計算するが、それぞれのロール角の測度と同様に、これらのそれぞれの時間測度は互いに独立である。測度アルゴリズム３００．１およびエネルギアルゴリズム３００．２の両方とも、それぞれのアルゴリズムによる処理を開始するときに、初期には車両は水平である（すなわちθ（tentrance）＝０）と仮定している。
【００２６】
横方向加速度計１８または角速度センサ２０のいずれかが再較正を必要とするかどうかを判断する処理４００を図７に示してある。ステップ（４０２）、（４０４）、（４０６）および（４０８）において、フィルタリングされた
【数４２】
2006501092.tif 000044
の絶対値が、関連する時間間隔
【数４３】
2006501092.tif 000045
の間、第４の角速度閾値
【数４４】
2006501092.tif 000046
を連続的に超える場合には、ステップ（４１０）において角速度センサ２０の再較正の信号が出される。あるいは、ステップ（４１２）、（４１４）、（４１６）、（４１８）および（４２０）において、測度アルゴリズムからのロール角の絶対値θＭか、またはエネルギアルゴリズム３００．２からのロール角θＥのいずれかが、関連する時間間隔
【数４５】
2006501092.tif 000047
の間、ロール角閾値
【数４６】
2006501092.tif 000048
を超える場合には、ステップ（４１０）において角速度センサ２０の再較正の信号が出される。あるいはステップ（４２２）において、角速度センサ２０の再較正の信号は出されない。ステップ（４２４）、（４２６）、（４２８）および（４３０）において、フィルタリングされた
【数４７】
2006501092.tif 000049
の絶対値が、第４の横加速度閾値
【数４８】
2006501092.tif 000050
を、関連する時間間隔
【数４９】
2006501092.tif 000051
の間、連続的に超える場合には、ステップ（４３２）において横加速度計１８の再較正の信号が出される。そうでない場合には、ステップ（４３４）において、横加速度計１８の再較正の信号は出されない。ステップ（４１０）または（４３２）のいずれかで再較正の信号が出された場合には、上記のようにステップ（３１４）から処理が継続される。そうでない場合には、センサ再較正の信号は出されず、上記のようにステップ（３２２）から処理が継続される。
【００２７】
次に図６、図８ａ〜８ｃ、および図９ａ，９ｂを参照して、測度アルゴリズム３００．１についてより詳細に論じるが、図６のステップ番号は、その関連を示すために、ここでは「．１」のような添え字をつけてある。測度アルゴリズム３００．１の進行イベントフラグONGOING_EVENT_FLAGは、進行測度イベントフラグONGOING_MEASURES_EVENT_FLAGと呼び、ステップ（３０６．１）で入口基準が満たされると、ステップ（３０８．１）で設定され、ステップ（３２２．１）で出口基準が満たされるとステップ（３２０．１）でリセットされる。進行測度イベントフラグONGOING_MEASURES_EVENT_FLAGは例えば、測度アルゴリズム３００．１を実装するための、関連するプロセッサ２６のメモリ２８内の特定の場所に対応することもある。ステップ（３２２．１）に続いて、アルゴリズムに入るとその後は、ステップ（３２２．１）で測度アルゴリズム３００．１の出口基準が満たされるか、またはロール事象が検出され安全拘束アクチュエータ３０が展開されるまで、測度アルゴリズム３００．１からは出ることはない。さらに、測度イベント出口基準が満たされて、測度アルゴリズム３００．１から出た後は、測度アルゴリズム３００．１は、関連する測度イベント入口基準がその後に満たされる場合には、再び入ることができる。
【００２８】
ステップ（３０６．１）における、測度アルゴリズム３００．１の入口基準は例えば、
【数５０】
2006501092.tif 000052
の絶対値が第１の加速度閾値
【数５１】
2006501092.tif 000053
より大きい、すなわち
【数５２】
2006501092.tif 000054
であることである。ある特定の車両の例としては、実際のロールオーバのデータに基づいて、第１の加速度閾値は、約１．４ｇに設定された。この閾値は、測度アルゴリズム３００．１の他のパラメータ値と同様に、一般に特定の関連する車両の特性または車両のクラスに依存すること、および特定のロールオーバ検出システム１０に用いる特定の値は、関連する車両の１２の特性または車両のクラスに応じて調節することによって判別能力を改善することができることに留意すべきである。
【００２９】
ステップ（３１０．１）においては、ステップ（３０８．１）に続いて測度アルゴリズム３００．１に最初に入ると、測度アルゴリズム３００．１が初期化される。イベントサンプル数nMおよび角度位置の値θＭ（nM−１）および測度関数Ｒ（nM−１）が、例えばゼロ値に初期化される。またイベント入口時刻の直前のサンプル時刻ｔＭ（−１）が、現在時刻ｔに初期化された、測度イベント入口時刻ｔＭ（０）の値に初期化され、かつアルゴリズム入口からの時間間隔ΔｔＭ（０）がゼロ値に初期化される。ここで用いた上添え字「Ｍ」は、ここでは測度アルゴリズム３００．１に関連する変数を表す。
【００３０】
測度アルゴリズム３００．１の後続の反復時に、ステップ（３０４．１）において進行測度イベントフラグが設定され、次いでステップ（３１２．１）においてイベントサンプル数nMが増分され、関連する現行サンプル時刻
【数５３】
2006501092.tif 000055
が、現行時刻ｔに等しく設定され、測度イベント時間ΔｔＭが測度イベント入口時刻ｔＭ（０）から現行時刻
【数５４】
2006501092.tif 000056
までの時間間隔として、以下のように計算される。
【数５５】
2006501092.tif 000057
ステップ（３２２．１）における、測度アルゴリズム３００．１の出口基準は、例えばアルゴリズム入口からの時間間隔
【数５６】
2006501092.tif 000058
が、時間間隔閾値
【数５７】
2006501092.tif 000059
より大きいこと、すなわち
【数５８】
2006501092.tif 000060
となることである。特定型式の車両の例については、実際のロールデータに基づいて、時間間隔閾値
【数５９】
2006501092.tif 000061
は約１６５ミリ秒に設定された。測度アルゴリズム３００．１から出ると、進行測度イベントフラグONGOING_MEASURES_EVENT_FLAGはステップ（３２０．１）でリセットされ、これによって、その後にステップ（３０６．１）において入口基準が満たされるまでの間、ステップ（３１０．１）で測度アルゴリズム３００．１に関連する変数が初期化される。
【００３１】
ステップ（３２２．１）において、出口基準が満たされない場合には、アルゴリズム計算はステップ（３２６．１）において測度アルゴリズム３００．１の特定の反復に対して以下のように更新される。
最初に、補償された符号付の角速度値を積分することによって、角度位置θＭが以下のように推定される。
【数６０】
2006501092.tif 000062
ここで、積分時間ステップｄｔは、現行反復における時刻
【数６１】
2006501092.tif 000063
と、前回反復における時刻との差
【数６２】
2006501092.tif 000064
として求め、この差はサンプリング速度が一様であれば、以下のように一定値となる。
【数６３】
2006501092.tif 000065
また、
【数６４】
2006501092.tif 000066
は以下の式で求められる。
【数６５】
2006501092.tif 000067
【００３２】
次に測度関数Ｒが推定され、これは良度指数(figure-of-merit)ＦＯＭを計算するために用いられる。測度関数Ｒは以下のように求められる。
【数６６】
2006501092.tif 000068
測度関数の第１項は、ダンピング項であり、前回値Ｒ(nM-1)にダンピング係数
【数６７】
2006501092.tif 000069
を乗じた積からなる。ダンピングのレベルは、特定の車両型式に依存する定数τによって決まる。例をあげると、特定型式の車両についてのロールオーバ試験データに基づき、τの値は約４００秒とした。ダンピング項は、
【数６８】
2006501092.tif 000070
または
【数６９】
2006501092.tif 000071
の値が継続的に大きくない事象に対しては、結果として得られる良度指数ＦＯＭを確実に低下させる働きをする。
【００３３】
測度関数Ｒの第１項に追加される残りの項は、３つの測度の積であり、それは力測度Ｆ*、回転運動エネルギ測度ＫＥ*、および位置エネルギ測度ＰＥ*である。力測度Ｆ*は、
【数７０】
2006501092.tif 000072
の現行サンプルとして以下のように求められる。
【数７１】
2006501092.tif 000073
一般に、力と加速度はニュートンの第２法則の関係がある（Ｆ＝Ｍ・Ａ）。力測度Ｆ*は、力と加速度のベクトル特性の説明を必要とするような、厳密な力測度とする必要は必ずしもなく、少なくとも車両１２に作用する反力Ｆと相関のある測度とする。通常の車両のロール事象において、
【数７２】
2006501092.tif 000074
は、タイヤまたは車輪リムに作用する横方向力によって生じる。この横方向力は、車両重量中心の回りの回転トルクを発生させて、最終的にロールオーバを引き起こす力と同じものである。
【数７３】
2006501092.tif 000075
は、必ずしも実際の反力Ｆに対する完全な測度とはならない。
【００３４】
例えば
【数７４】
2006501092.tif 000076
では、例えばタイヤまたはその他のダンピング要素内の減衰力によるか、またはサスペンションシステムの運動による、非剛体運動の影響は、必ずしも説明できない。しかしながら
【数７５】
2006501092.tif 000077
は経験則として、非剛体運動を除いては、小さな角度に対しては、車両１２をロールさせる反力Ｆに比例する。高速ロールオーバ試験またはトリップ式ロールオーバ試験によると、
【数７６】
2006501092.tif 000078
は、角速度センサ２０によって有効な補償角速度が観察される約２０ミリ秒前に、有効となる。力測度Ｆ*は、
【数７７】
2006501092.tif 000079
に対して線形関係で示してあるが、力測度Ｆ*は、
【数７８】
2006501092.tif 000080
に対して、その他の（線形以外の）関数または（１以外の）累乗とすることもできることを理解すべきである。
【００３５】
回転運動エネルギ測度ＰＥ*は、
【数７９】
2006501092.tif 000081
で求められる。一般に回転運動エネルギ測度ＫＥ*は、車両の回転運動エネルギと相関がある。例えば、
【数８０】
2006501092.tif 000082
のように、回転運動エネルギ測度ＫＥ*は、比例定数をＩｘ／２として車両１２の回転運動エネルギと比例する。しかし、回転運動エネルギ測度ＫＥ*を、別の形式で表すことも可能である。例えば、
【数８１】
2006501092.tif 000083
の２乗以外の累乗を用いて、
【数８２】
2006501092.tif 000084
から回転運動エネルギ測度ＫＥ*を構成することも可能であり、あるいは回転運動エネルギ測度ＫＥ*を
【数８３】
2006501092.tif 000085
の別の関数とすることも可能である。
【００３６】
力測度Ｆ*と回転運動エネルギ測度ＫＥ*の積は、
【数８４】
2006501092.tif 000086
を単独で用いる場合よりも、より迅速にロールオーバを予測する測度となる。これはまた
【数８５】
2006501092.tif 000087
の最終値の予測測度ともなるが、それは
【数８６】
2006501092.tif 000088
から推定された大きな横方向力は、通常約２０ミリ秒後に
【数８７】
2006501092.tif 000089
の増加として表れることが観察されているからである。さらに、例えば補償角速度の２乗を用いることにより、補償角速度の重み付けを、補償横加速度成分よりも大きくすると、結果的に得られる良度指数ＦＯＭに対する、実際の補償角速度の影響を強めることになる。
【００３７】
位置エネルギ測度ＰＥ*は、定数と角度位置の現行サンプル
【数８８】
2006501092.tif 000090
の和として次のように求められる。
【数８９】
2006501092.tif 000091
定数θ０は、特定の車両によって異なる。例えば、ある型式の車両についてのロールオーバ試験のデータに基づけば、θ０の値は約０．１度である。この定数項は、
【数９０】
2006501092.tif 000092
および
【数９１】
2006501092.tif 000093
の両方の信号が、あるロール事象に対して同じ極性を有するように極性が与えられていると仮定して、これらの信号のいずれかと同じ同じ符号にされている。位置エネルギ測度ＰＥ*を測度関数の積項に含めると、結果的に得られる良度指数ＦＯＭに与えるロール運動の影響を強め、例えば関連するアクチュエータ起動時間（ＴＴＦ）が通常１４０から２３０ミリ秒である、中速度のロール事象に対して、その絶対値を増大させる。（この範囲の上下限は、車両の特性に応じて２０％程度拡張することもあり、また異なる型式の車両に対してさらに異なる可能性もある。）力測度Ｆ*および回転運動エネルギ測度ＫＥ*と比較して、位置エネルギ測度ＰＥ*は、比較的重要度が低く、小規模なロールオーバ検出システム１０においては無視する（例えばＰＥ*＝１に設定する）ことも可能である。しかし位置エネルギ測度ＰＥ*は、中程度のアクチュエータ起動時間を示すロール事象の場合の要素として利点があると思われる。
【００３８】
良度指数ＦＯＭは次式で求められる。
【数９２】
2006501092.tif 000094
良度指数ＦＯＭは、関連するR(nM)およびR(nM-1)項の絶対値から計算され、この結果良度指数ＦＯＭは回転の方向には影響されない。
【数９３】
2006501092.tif 000095
項は、時間についての測度関数Ｒの微分または勾配の測度となり、実際の勾配はこの項をサンプリング周期ｄｔ（一様にサンプリングされるシステムでは定数）で除して求められることになる。この勾配係数は、以下に述べる閾値関数と組み合わされて、ロールオーバ事象が検出されて、その結果、関連する1つまたは複数の安全拘束システム３０展開させるためには、良度指数ＦＯＭが時間と共に増加することを必要とさせる効果がある。
【００３９】
代替案として、特に比較的小さな
【数９４】
2006501092.tif 000096
の値について、良度指数ＦＯＭは次式で求めてもよい。
【数９５】
2006501092.tif 000097
ステップ（３２２．１）のアルゴリズム計算に続いて、ステップ（３３０．１）で評価されたアルゴリズム検出基準は、例えば図８ｃに示すような複数の検出条件を含む。これらの条件のすべてが満たされる場合には、通常は測度イベント閾値を超えて、ロールオーバが発生すると考えられ、またステップ（３４０）において安全化アルゴリズムから関連する安全化基準が満たされる場合には、ステップ（３５０）において、関連する乗員の傷害を軽減するために、関連する１つまたは複数の安全拘束アクチュエータ３０が展開される。この検出基準は、特定の検出戦略にしたがって決められる。理想的には、検出基準は、関連する１つまたは複数の安全拘束システムの適切な展開によって乗員の傷害が軽減される程度の強度の、車両の内装と頭部の接触（つまり「頭部接触」）が発生するロール事象を検出することができて、その他の事象を無視できることである。
【００４０】
しかし、このような理想的な性能が実現できない場合には、検出基準を適当な妥協手段となるように適合させることができる。例えば、重大なロール事象を十分迅速に、つまり関連する１つまたは複数の安全アクチュエータ３０を、乗員への傷害を与えるリスクを軽減できるタイミングと速度で展開できるように、関連する頭部接触時間よりも十分に短い時間内に検出するためには、車両を完全にロールさせない（例えば縁石走行（curb trip）または中減速度型から高減速度型のロール事象）程度の重大ロールオーバ事象に応答して１つまたは複数の安全拘束アクチュエータ３０が展開するのを許容することが必要なこともある。
【００４１】
ステップ（３３０．１）の第１の検出条件として、測度イベント時間ΔｔMが、測度イベント時間の範囲（ΔｔMｍｉｎ、ΔｔMｍａｘ）内にあるか、どうかを以下のように試験する。
【数９６】
2006501092.tif 000098
例えば特定の型式の車両に対して、イベントトリガーからの経過時間間隔が、特定の時間ウインド内に入るように、関連する最小および最大イベント時間を、
【数９７】
2006501092.tif 000099
＝４０ミリ秒、
【数９８】
2006501092.tif 000100
＝１６５ミリ秒とする。最小測度イベント時間
【数９９】
2006501092.tif 000101
を制約することによって、非常に短時間の大きな横方向入力によって、偶然の検出が起こるのを防ぐと共に、観察された最短の頭部接触時間の条件を満たすように、十分に早く安全拘束システムを展開させることが可能になる。（頭部接触時間は、乗員の頭部が車両の内装と接触する時間である。）通常、重大な縁石走行または減速スレッド事象に対して、ロール判別アルゴリズムの入口時間は、ロール事象開始（すなわち、物理事象の開始）後、約２０ミリ秒である。そうすると、ロール判別アルゴリズムがエアバッグを展開し始めることができる最早時点は、ロール事象の開始後、約６０ミリ秒となる（入口時間＋約４０ミリ秒）。
【００４２】
観察された最速の頭部接触時間は、ロール事象の発生後、およそ１１５ミリ秒程度である。関連するデータ処理および安全拘束展開（例えばエアバッグ膨張）に約３０ミリ秒を要すると仮定すると、これらの場合には、安全拘束アクチュエータ３０は、ロール事象の開始後約９０ミリ秒で完全に展開されることになる。最小起動時間Δｔminは、横加速度計１８および角速度センサ２０からの信号がもたらす情報をできる限り利用しつつ、一方で重大事象における頭部接触を回避するのに、時間余裕をもって展開判断が行えるようにする。最大起動時間Δｔmaxは、ロール判別アルゴリズムの連鎖事象に対する脆弱性を低減し、また時間間隔のあいた２つの横方向事象の２番目の事象によってロールオーバが引き起こされる事故において、ロール判別アルゴリズムをリセットし、ロールオーバの第２の「実際の」開始事象を検知することを可能にする。ステップ（３３０．１）において、測度イベント時間ΔｔＭが指定された範囲内にある場合には、第１の検出条件は満たされ、追加の検出基準がステップ（３３０．１）で評価される。そうでない場合には、処理はステップ（１５０）から次の反復が継続される。
【００４３】
ステップ（３３０．１）の第２に検出条件として、例としての車両プラットフォームについて、上述の検出戦略にしがって必要な実質的にすべての事象に対して、良度指数ＦＯＭと、十分に迅速な判別時間をもたらす閾値関数
【数１００】
2006501092.tif 000102
とが比較される。閾値関数
【数１０１】
2006501092.tif 000103
は、例えば以下の形式となる。
【数１０２】
2006501092.tif 000104
対応する第２の検出条件は以下のようになる。
【数１０３】
2006501092.tif 000105
例えば、特定の型式の車両についてのロールオーバ試験からのデータに基づいて、ＡおよびＢは、４０ミリ秒≦ΔｔＭ＜９６ミリ秒に対して、Ａ＝６．４６×１０１１（ｇ２ｄｅｇ６／ｍｓ・ｓ４）、Ｂ＝−２．３４×１０１３（ｇ２ｄｅｇ６／ｓ４）、また９６ミリ秒≦ΔｔＭ≦１６５ミリ秒に対して、Ａ＝２．５９×１０１１（ｇ２ｄｅｇ６／ｍｓ・ｓ４）、Ｂ＝−１．３６×１０１３（ｇ２ｄｅｇ６／ｓ４）とした。良度指数ＦＯＭおよび閾値関数
【数１０４】
2006501092.tif 000106
は、例えば両方とも単位が［ｇ２ｄｅｇ６／ｓ４］である。
【００４４】
一般に、異なる型式の車両は、閾値関数
【数１０５】
2006501092.tif 000107
について、それぞれ異なるパラメータ値、または異なる関数形を有する。例えば複数の線形セグメントを有する、多重セグメント閾値関数
【数１０６】
2006501092.tif 000108
は、ロール判別アルゴリズムの性能に対して有利であることがわかっている。上記の例示的閾値限界線は、０．８ミリ秒の時間ステップの間に１２５０Ｈｚの速度でサンプリングされたデータから設定された。閾値関数
【数１０７】
2006501092.tif 000109
は、良度指数ＦＯＭの計算における積分の残余項が異なるために、データサンプリング速度が変われば、変化する。一般に、閾値関数は、時間の関数、時間の分割関数、時間についてのテーブルルックアップのいずれかによって表すことができる。さらに通常、閾値関数は時間の関数、例えば開始から時間間隔の関数であるが、この閾値関数
【数１０８】
2006501092.tif 000110
は場合によっては一定、すなわち時間に対して一定である可能性もあることを理解すべきである。ステップ（３３０．１）において、良度指数ＦＯＭが閾値関数
【数１０９】
2006501092.tif 000111
を超える場合には、第２の検出条件が満たされ、ステップ（３３０．１）において、追加の検出基準が評価される。そうでない場合には、ステップ（１５０）から次の反復の処理が継続する。
【００４５】
ステップ（３３０．１）の第３の検出条件として、安全拘束アクチュエータ３０の予期される展開時において、良度指数ＦＯＭの絶対値が、時間に対して増大しているかどうかを、以下のように試験する。
【数１１０】
2006501092.tif 000112
である。第３の検出条件は、例えばΔｔ＝４０ミリ秒で閾値関数ＦＯＭThr（Δt）を超えるが、事象は減退しつつある（例えばＡｙまたはωｘのいずれか、あるいは両方の絶対値が、減少している）場合の展開を防ぐためのものである。ステップ（３３０．１）において、良度指数ＦＯＭが時間に対して増大している場合には、第３の検出条件は満たされ、ステップ（３３０．１）において追加の検出基準が評価される。そうでない場合には、ステップ（１５０）から次の反復のための処理が継続される。
【００４６】
ステップ（３３０．１）の第４の検出条件として、安全拘束アクチュエータ３０の予測される展開時における補償横加速度成分
【数１１１】
2006501092.tif 000113
の絶対値が、第２の加速度閾値
【数１１２】
2006501092.tif 000114
と以下のように比較される。
【数１１３】
2006501092.tif 000115
第４の検出条件は、誤った大きな補償角速度
【数１１４】
2006501092.tif 000116
信号を発生させるモードにおける、角速度センサ２０の故障によって、安全拘束アクチュエータ（群）３０の偶発的な展開が生じることを防止する。例えば、ドライブ路面上に横方向のタイヤスリップのないような正常な運転状態において、第２の加速度閾値
【数１１５】
2006501092.tif 000117
の値０．７ｇを超えることはないと考えられる。ステップ（３３０．１）において、
【数１１６】
2006501092.tif 000118
の絶対値が、第２の加速度閾値
【数１１７】
2006501092.tif 000119
よりも大きい場合には、第４の検出条件が満たされ、ステップ（３３０．１）において追加の検出基準が評価される。そうでない場合には、ステップ（１５０）から次の反復のための処理が継続される。
【００４７】
ステップ（３３０．１）の第５の検出条件として、
【数１１８】
2006501092.tif 000120
の絶対値が、安全拘束アクチュエータ（群）３０の予想される展開時における、関連する第２のロール角速度閾値
【数１１９】
2006501092.tif 000121
と、以下のように比較される。
【数１２０】
2006501092.tif 000122
例えば、第２のロール角速度閾値
【数１２１】
2006501092.tif 000123
は、約５０度／秒である。第５の検出条件は、車両１２が安全拘束アクチュエータ（群）３０の展開時に、大きな角速度が発生していることを保証するものである。第２および第５の検出条件を組み合わせて、重大な側面衝突事象が、安全拘束アクチュエータ（群）３０を展開するのを防止する。第５の検出条件はまた、故障横加速度計１８が、誤った大きな横加速度信号を示して、安全拘束アクチュエータ３０を偶発的に展開するのを防止する。ステップ（３３０．１）において、
【数１２２】
2006501092.tif 000124
の絶対値が、第２の角速度閾値
【数１２３】
2006501092.tif 000125
よりも大きい場合には、第５の検出条件が満たされ、ステップ（３４０）から処理が継続する。そうでない場合には、ステップ（１５０）から次の反復のための処理が継続される。
【００４８】
ここで記述する測度アルゴリズム３００．１は、一連の車両ロールオーバ試験のデータを用いた試験に合格しており、最終的な車両のロールオーバを高い信頼性で予測できることが実証されている。大きな横加速度によって生じるロール事象については、比較的迅速に予測をすることができ、これによって測度アルゴリズム３００．１が、頭部接触が通常最も迅速に発生するタイプのロールオーバに対して、頭部接触以前にエアバッグを展開することが可能となる。一般に、測度アルゴリズム３００．１は、縁石走行や高ｇ型横方向減速事象に類似する、短時間および中程度時間のロール事象に対して、比較的早期のロールオーバ検出と、関連する安全拘束アクチュエータ（群）３０の比較的早期の起動時間（ＴＴＦ）を実現する上で利点がある。
【００４９】
したがって、測度アルゴリズム３００．１を組み入れたロールオーバ検出システム１０は、以下のステップにより、偶発的な展開を最小化しながら、乗員の頭部接触時間に適合するロールオーバエアバッグの展開時間を可能にする車両のロールオーバの改良型識別法を実現する。
それは、計測された横加速度を用いて将来（２０〜３０ミリ秒後）のロール運動を予測すること、
横加速度に、角速度および全回転角を組み合わせて、開始角度が水平から約２０度未満であるロール事象について、車両の初期角度情報を必要とすることなく、現行回転状態および運動と、回転を生成している強制関数との測度を生成すること、
車両特有の動的特性（ロールオーバ試験データから抽出される）に初期の車両応答測定値を組み合わせて利用して、最終的なロールオーバの発生を、そのような事象が明白になる以前に予測すること、である。
【００５０】
図１０を参照すると、テストＡ，テストＢ、テストＣおよびテストＤと名づけた４つの異なる試験条件を、測度アルゴリズム３００．１とエネルギアルゴリズム３００．２を説明かつ比較する目的で表にして示してある（エネルギアルゴリズム３００．２については以下にさらに詳細に述べる）。テストＡおよびテストＢは、螺旋状テストであり、これはエネルギアルゴリズム３００．２が、測度アルゴリズム３００．１よりも迅速なロールオーバ検出を示す条件を示しており、テストＣおよびＤは減速スレッドテストであり、これらについては測度アルゴリズム３００．１がエネルギアルゴリズム３００．２よりも迅速なロールオーバ検出を示す。テストＡおよびＤにおいては、車両はロールオーバを起こしたが、テストＢおよびＣにおいては、ロールオーバは起こさず、最大ロール角が、それぞれ３７度および３４度であった。初期車両速度、平均車両減速度、関連する検出およびイベント時間も、図１０に表示してあり、ここで頭部接触時間は乗員（ダミー）の頭部が車両の内装に実際に衝突した時間である。
【００５１】
図１１ａ〜１１ｄを参照すると、テストＡ〜Ｄについて図１０に表示した条件にしたがい、加速度センサ２０からのフィルタリングされたロール速度（角速度）、ロール角、および横加速度計１８からのフィルタリングされた横加速度を、それぞれ時間の関数として示してある。
図１２を参照すると、テストＣおよびＤについて計算で求めた良度指数を、測度イベント時間ΔtＭ、すなわち図１０の表に示した特定の型式の車両についての実際のスレッド減速テストにおける、測度アルゴリズム３００．１の開始からの時間の関数としてプロットしてある。図１２には、この特定の形式の車両についての、関連する閾値関数
【数１２４】
2006501092.tif 000126
を示してある。テストＤでは、車両がロールオーバを起こし、テストＣでは、最大回転角が約３４度まで達した。
【００５２】
ここで記述する測度アルゴリズム３００．１とによって計算した良度指数
【数１２５】
2006501092.tif 000127
と、関連する閾値関数
【数１２６】
2006501092.tif 000128
を結合させることによって、車両のロールオーバが発生したテストＤにおけるロールオーバ事象の開始後、起動時間（ＴＴＦ）を９８ミリ秒とすることが可能となり、この時間は関連する頭部接触時間１９６ミリ秒よりも時間的に大幅に短く、これによって関連する１つまたは複数の安全拘束アクチュエータ３０を展開するための時間として９８ミリ秒がもたらされた。関連する安全化アルゴリズム２００の安全化基準は、ロール事象の開始後２６ミリ秒で満たされ、これは測度アルゴリズム３００．１が検出基準を満たすよりも時間的に大幅に早かった。これと比較して、以下に述べるエネルギアルゴリズム３００．２の検出基準は、テストＤの事象に対してはロール事象の開始後５９４ミリ秒までは満たされず、これは関連する頭部接触時間よりも大幅に遅れており、これによってテストＤのロール事象に対する測度アルゴリズム３００．１の利点が示された。
【００５３】
図６、図８ａ〜ｃ、および図９ａ，９ｂを参照して、エネルギアルゴリズム３００．２についてより詳細に述べるが、ここで図６のステップは、「．２」という添え字をつけて、それに関連することを示している。エネルギアルゴリズムについての、進行イベントフラグONGOING_EVENT_FLAGは、ONGOING_ENERGY_EVENT_FLAGと呼び、ステップ（３０６．２）における入口基準が満たされると、ステップ（３０８．２）において設定され、ステップ（３２２．２）において出口基準が満たされるとステップ（３２０．２）においてリセットされる。例えば、ONGOING_ENERGY_EVENT_FLAGは、エネルギアルゴリズム３００．２を実装する関連するプロセッサ２６のメモリ２８の特定の場所に対応させてもよい。ステップ（３０６．２）に続いて、エネルギアルゴリズム３００．２に入った後は、ステップ（３２２．２）においてエネルギイベント出口基準が満たされるか、ロール事象３００．２が検出されて、安全拘束アクチュエータ３０が展開されるまでは、そこから出ない。さらに、エネルギイベント出口基準が満たされて、エネルギアルゴリズム３００．２から出た後に、その後関連するエネルギイベント入口基準が満たされれば、エネルギアルゴリズム３００．２に再び入ることができる。
【００５４】
エネルギアルゴリズム３００．２は、角速度センサ２０からの角速度ωｘ信号を利用し、車両のロール状態を同定し、車両１２の全体エネルギ（回転運動および位置エネルギ）と完全にロールを生じさせるのに必要なエネルギとを比較する。
ステップ（３０６．２）において、エネルギアルゴリズム３００．２の入口基準は、例えば
【数１２７】
2006501092.tif 000129
の絶対値が、第１の加速度閾値
【数１２８】
2006501092.tif 000130
よりも大きいか、または（ＯＲ）
【数１２９】
2006501092.tif 000131
の絶対値が第１のロール速度閾値
【数１３０】
2006501092.tif 000132
よりも大きいことである。すなわち、次式である。
【数１３１】
2006501092.tif 000133
特定の型式の車両を例にあげると、実際のロールオーバのデータに基づいて、第１の加速度閾値
【数１３２】
2006501092.tif 000134
を約１．４ｇ（測度アルゴリズム３００．１に関して）に設定し、第１の回転速度閾値
【数１３３】
2006501092.tif 000135
を約１９度／秒に設定した。この閾値は、エネルギアルゴリズム３００．２の他のパラメータ値と同様に、通常関連する特定の車両１２の特性または車両のクラスに依存し、かつ特定のロールオーバ検出システムに使用する特定の値は、関連する車両１２の性質あるいは車両のクラスに応じて判別を向上させるために調整することができることはいうまでもない。
【００５５】
ステップ（３１０．２）において、ステップ（３０６．１）に続いて最初にエネルギアルゴリズム３００．２に入場すると、エネルギアルゴリズム３００．２が初期化される。イベントサンプル数nEおよび角度位置の値
【数１３４】
2006501092.tif 000136
が初期化、つまりゼロに設定される。またイベント入口時刻の直前のサンプル時刻
【数１３５】
2006501092.tif 000137
は、現在時刻ｔの値に初期化されている、エネルギイベント入口時刻
【数１３６】
2006501092.tif 000138
に初期化され、かつアルゴリズムに入ってからの時間間隔
【数１３７】
2006501092.tif 000139
が、ゼロ値に初期化される。さらに、第２のイベントサンプル数
【数１３８】
2006501092.tif 000140
が、ロール方向変化からの時間間隔
【数１３９】
2006501092.tif 000141
と同様に、ゼロに初期化される。ここで使用する上添え字「Ｅ」は、エネルギアルゴリズム３００．２に関連する変数を示している。
【００５６】
後続のエネルギアルゴリズム３００．２の反復時に、ステップ（３０４．２）において、ONGOING_ENERGY_EVENT_FLAGが設定されている場合には、ステップ（３１２．２）において、イベントサンプル数nEが増分され、関連する現行のサンプル時刻
【数１４０】
2006501092.tif 000142
が現行時刻ｔに等しく設定され、かつエネルギイベント時間
【数１４１】
2006501092.tif 000143
がエネルギイベント入口時刻
【数１４２】
2006501092.tif 000144
から現行時刻
【数１４３】
2006501092.tif 000145
までの時間間隔として次式で計算される。
【数１４４】
2006501092.tif 000146
ステップ（３２２．２）における、エネルギアルゴリズム３００．２の１つの出口基準は、例えば、エネルギイベント時間
【数１４５】
2006501092.tif 000147
が、最大時間間隔閾値
【数１４６】
2006501092.tif 000148
より大きいこと、すなわち次式である。
【数１４７】
2006501092.tif 000149
エネルギアルゴリズム３００．２の別の出口基準は、例えばエネルギイベント時間
【数１４８】
2006501092.tif 000150
が、最小時間間隔閾値
【数１４９】
2006501092.tif 000151
よりも大きく、かつステップ（３０６．２）からの入口基準が最近に満たされてからの時間が、第２の時間間隔閾値
【数１５０】
2006501092.tif 000152
より大きいこと、すなわち次式である。
【数１５１】
2006501092.tif 000153
【００５７】
エネルギアルゴリズム３００．２は、比較的遅いロールオーバ事象が発生する可能性があるために、測度アルゴリズム３００．１よりも、リスタートさせるまでに（すなわちアルゴリズムから出てリセットされるまでに）実質的に長い時間を必要とする。特定の型式の車両の例においては、実際のロールオーバデータに基づいて、時間間隔閾値
【数１５２】
2006501092.tif 000154
を約１２秒に設定し、最小時間間隔閾値
【数１５３】
2006501092.tif 000155
を約４秒に設定し、第２時間間隔閾値
【数１５４】
2006501092.tif 000156
は約２秒に設定した。したがって、この例については、エネルギアルゴリズム３００．２は、少なくとも４秒間、しかし１２秒を超えない時間において実行され、このような制約を受けて、最近に満足された入口基準からの時間間隔が２秒を超えると、外に出ることになる。エネルギアルゴリズム３００．１の外に出ると、ONGOING_ENERGY_EVENT_FLAGは、ステップ（３２０．２）でリセットされて、その後にステップ（３０６．２）で入口基準が満たされると、エネルギアルゴリズム（３００．２）に関連する変数がステップ（３１０．２）で初期化される。
【００５８】
ステップ（３２２．２）において、出口基準が満たされない場合には、アルゴリズム計算は、エネルギアルゴリズム３００．２の特定の反復について、ステップ（３２６．２）で以下のように更新される。
最初に、角度位置
【数１５５】
2006501092.tif 000157
が、
【数１５６】
2006501092.tif 000158
の符号付の値を積分することによって、以下のように評価される。
【数１５７】
2006501092.tif 000159
ここで、積分時間増分ｄｔは、現行反復における時刻
【数１５８】
2006501092.tif 000160
と前回反復における時刻
【数１５９】
2006501092.tif 000161
の差として求められ、この差はサンプリング速度が均一の場合には一定であり、以下にようになる。
【数１６０】
2006501092.tif 000162
そして
【数１６１】
2006501092.tif 000163
は次式で求められる。
【数１６２】
2006501092.tif 000164
【００５９】
ステップ（３２６．２）において、アルゴリズム計算は、ジャイロスコープ誤差または重大な車両運動の結果によるオフセットのいずれかによる、角速度ωｘ信号のオフセットを補償するように適合されており、そうしない場合には、特に角速度が実質的に振動挙動を示す可能性のあるラフ路面状態に対しては、これらのオフセットが、
【数１６３】
2006501092.tif 000165
において適切に補償されない可能性がある。エネルギアルゴリズム３００．２においては、アルゴリズム入口基準が満たされた最近の時刻の後、少なくとも
【数１６４】
2006501092.tif 000166
秒間、例えば２秒間は外に出ることはなく、これによってエネルギアルゴリズム３００．２の持続時間を
【数１６５】
2006501092.tif 000167
秒、例えば１２秒まで延長させ、このために角速度センサ２０からの信号における比較的小さなオフセット、例えば２〜３度／秒に対して、大幅なロール角積分誤差（例えば２４から３６度）につながる可能性がある。悪路においては、車両１２は実質的に振動ロール運動を示すことがあり、したがって［悪路イベント］では、角速度ωｘは、真の角速度オフセット
【数１６６】
2006501092.tif 000168
の回りに振動するという特徴がある。
【００６０】
例えば、図１３を参照すると、真の角速度オフセット
【数１６７】
2006501092.tif 000169
が−６．５度／秒である、角速度ωｘ信号を時間の関数としてプロットしてある。通常のロール事象においては、ロール事象中に
【数１６８】
2006501092.tif 000170
の符号は変化をしないために、
【数１６９】
2006501092.tif 000171
信号から悪路状態を認識することが可能である。これらの状況下で、積分されたロール角
【数１７０】
2006501092.tif 000172
は、
【数１７１】
2006501092.tif 000173
が符号を変えるたびに、ゼロに向かって以下の式に従って減衰される。
【数１７２】
2006501092.tif 000174
ここで、カウンタ
【数１７３】
2006501092.tif 000175
は、逆転時にイベントサンプル数
【数１７４】
2006501092.tif 000176
に等しく設定され、このイベントサンプルカウンタが、
【数１７５】
2006501092.tif 000177
が方向を変える度に、最近の方向変更からの時間間隔に応じて、０．１％から５０％の間の量でロール角
【数１７６】
2006501092.tif 000178
を減衰させる。
【００６１】
図１４を参照すると、ロール振動効果に対する上記の補償の効果を示してあり、ここでは、図１３にプロットされた角速度データから積分したロール角を、様々な条件について時間の関数として示してある。第１の条件として、真の角速度オフセット
【数１７７】
2006501092.tif 000179
の−６．５度／秒を、積分に先立ち除去した。第２の条件として、ロール角
【数１７８】
2006501092.tif 000180
は、偏りのある角速度ωｘデータから積分して、次いで前述したようにロール振動の補償をする。第３の条件としては、ロール角
【数１７９】
2006501092.tif 000181
は、上述のロール振動に対する補償なしで角速度ωｘデータから積分して求め、これは比較的長い積分区間について補償をしない角速度ωｘの偏りがある結果として、ロール事象の誤検出が発生する可能性を示すものである。上記のロール振動に対する補償は、角速度が実質的に一方向である実際のロール事象の検出に悪影響を与えることなく、ロール振動により導入された積分誤差を実質的に補正する。
【００６２】
ステップ（３２６．２）において、アルゴリズムの計算によって、ステップ（３０６．２）の入口基準が満たされる最近時間の記録がさらに与えられ、これによってステップ（３２２．２）の出口基準の補助的な基礎が、以下のように与えられる。
【数１８０】
2006501092.tif 000182
ステップ（３２２．２）のアルゴリズム計算に続いて、ステップ（３３０．２）で評価されるアルゴリズム検出基準は、例えば図８ｃに示すような複数の検出条件を含む。すべての検出条件が満足される場合には、通常エネルギイベント閾値を超えて、ロールオーバが発生すると考えられ、ステップ（３４０）において安全化アルゴリズム２００からの、関連する安全化基準を満たせば、ステップ（３５０）において、関連する１人または複数の乗員への傷害を軽減するために、関連する１つまたは複数の安全拘束アクチュエータ３０が展開される。エネルギアルゴリズム３００．２の検出基準は、測度アルゴリズム３００．１について上述したものと類似の検出戦略に従って決定される。
【００６３】
エネルギアルゴリズム３００．２の主要検出基準は、角速度とロール角の関連する位相空間（すなわちω‐θ位相空間）における、
【数１８１】
2006501092.tif 000183
およびロール角
【数１８２】
2006501092.tif 000184
の挙動と、それに関連する運動軌跡とに基づいている。ω‐θ位相空間の例を図１５に示してある。
剛体運動力学に従って、関連する剛体のロール事象と非ロール事象を判別する位相空間内の理論的閾値境界が存在する。例えば、この理論的閾値境界は次式で求められる。
【数１８３】
2006501092.tif 000185
ここで、ｍｇは車両の重量、Ｔは車両のトラック幅、Ｉは車両のロールの慣性モーメント、ｈＣＧは車両の重心の高さである。この式は問題とする範囲ではω‐θ面内でほぼ線形である。
【００６４】
しかし、非剛体効果のために、実際の閾値境界は、通常上記の理論閾値境界に沿った約５つまたは６つの連結線分からなる、区分線形境界としてモデル化するのが有利であるが、これをロール事象と非ロール事象の識別性能を改善するために特定の車両１２または車両プラットフォームについて適合させてもよい。一般に、この境界は位相空間内の関数（例えば、ロール角θの関数）、位相空間内の区分関数（例えばロール角θの区分関数）、または位相空間でのテーブルルックアップのいずれかで表すことができる。
図１５を参照すると、上述の移動平均フィルタを用いてフィルタリングした、実際のロールオーバテストデータを、図１１ａおよび１１ｂに示すテストＡおよびＢそれぞれについて、図１０の条件に従い、関連する理論的な閾値境界の例および実際の区分線形閾値境界の例と共に、ω‐θ位相空間内にプロットしてある。
【００６５】
現行順序の組
【数１８４】
2006501092.tif 000186
と実際の閾値境界の線分との距離が、その関連する端点の角度値
【数１８５】
2006501092.tif 000187
が現行ロール角
【数１８６】
2006501092.tif 000188
の上下限を決めている線分それぞれについて、各反復毎に計算される。実際の閾値境界の各線分は、その端点
【数１８７】
2006501092.tif 000189
によって定義される。現行順序組と実際の閾値境界の適切な線分との距離Ｄは次式で求められる。
【数１８８】
2006501092.tif 000190
ここで、この距離がゼロ未満の場合には、実際の閾値境界を超えたたことになる。
【００６６】
ω‐θ位相空間における
【数１８９】
2006501092.tif 000191
の軌跡の勾配は次式で求められる。
【数１９０】
2006501092.tif 000192
またω‐θ位相空間における、この勾配の関連する角度は次式で求められる。
【数１９１】
2006501092.tif 000193
ステップ（３３０．２）において、角度βが限度内にある（すなわち、βmin＜β＜βmax、ここで例えばβmin＝７５度、βmax＝９０度）場合には、ロール角速度の絶対値は、時間と共に増加しており
【数１９２】
2006501092.tif 000194
実際の閾値境界までの距離が、ゼロより小さく
【数１９３】
2006501092.tif 000195
かつロール角θEがロール角閾値θThrよりも大きい
【数１９４】
2006501092.tif 000196
ここで例えばθThr＝１０度）場合に、エネルギ検出基準が満足される。あるいは、ω‐θ位相空間における距離が、閾値DThrより小さく
【数１９５】
2006501092.tif 000197
かつロール角θEがロール角閾値θThrよりも大きい
【数１９６】
2006501092.tif 000198
場合に、エネルギ検出基準が満たされる。
エネルギ検出基準が、ステップ（３３０．２）で満足され、かつステップ（３４０）において、安全化基準が満たされる場合には、ステップ（３５０）において、関連する１人または複数の乗員への傷害が軽減するために、関連する１つまたは複数の安全拘束アクチュエータ３０が展開される。エネルギアルゴリズム３００．２の検出基準が満たされるときまでに安全化基準が満たされない場合には、安全化基準が満たされるか、またはステップ（３２２．２）でエネルギアルゴリズム３００．２から出るかのいずれかになるまで、エネルギアルゴリズム３００．２が反復されるように、エネルギアルゴリズム３００．２の展開決定はラッチされない。
【００６７】
測度アルゴリズム３００．１およびエネルギアルゴリズム３００．２は、共通のプロセッサ２６上または別個のプロセッサ２６上で、直列にでも、並列にでも実行することが可能であることはいうまでもない。直列に実行される場合には、図６に示す１回の反復についてのステップは、一方のアルゴリズムについて完了し、次いで他方のアルゴリズムが、第１のパスに対してステップ（３０２）から、または後続のパスに対してステップ（１５０）から開始されることになる。
ロールオーバ検出アルゴリズムは、特定の形式の式によって表されていたが、これらの計算は、本願の教示の範囲を逸脱することなく、様々な方法で、特定のプロセッサ２６上に実装できることはいうまでもない。例えば、本願に記載の特定の計算を、特定のプロセッサに実際に実装するためには、例えば関連するアナログ／デジタル変換器の解像度や、特定のプロセッサ２６によって実行可能な数学処理の形式と精度、また特定のプロセッサ２６のワード長などに応じて、修正を必要とする可能性がある。
【００６８】
ロール判別アルゴリズムは、本願ではサンプリングされたデータに対して適用すると説明したが、アルゴリズムは、例えばアナログプロセッサを用いて、連続的に実装することも可能であることはいうまでもない。さらに、イベントサンプル数nMは、ロール判別の実際の実装においては、明示式および暗示式のどちらでもよく、また関連する時間依存の変数は、時間ｔの関数、またはイベントサンプル数nM、nEの関数の、いずれでも表すことができることも理解すべきである。
測度アルゴリズム３００．１およびエネルギアルゴリズム３００．２は、関連する
【数１９７】
2006501092.tif 000199
を積分することによって求めるロール角の測度を利用すると説明したが、例えば傾斜センサを用いて測定したロール角を、計算によるロール角の代わりに使用することも可能である。
【００６９】
図１６および１７を参照すると、別の実施態様によるロールオーバ検出システム１０．１は、図２に示して上述したロールオーバ検出システム１０を含むとともに、乗員検出システム４２をさらに含み、この乗員検出システムは、乗員４４に対する関連するロールオーバ誘起傷害を軽減するために備えられる１つまたは２つ以上の安全拘束アクチュエータ３０を組み込んだ車両の、１つまたは２つ以上の内部側面への乗員４４の近接度を検知するように適合されている。
【００７０】
乗員検出システム４２は、所与の着座場所における、乗員４４の存在を少なくとも検知するとともに、乗員が内部境界４６から離れている距離を計測すること、および／または乗員４４が垂直から、例えば内部境界４６に向かって傾いている角度を計測することによって、関連する車両１６の内部境界４６に対する、乗員４４またはその部分、例えば乗員４４の頭部の近接度または位置の測度を、乗員が着座する関連する車両シート４８の場所についての測度とともに、直接的または間接的に、提供するようにさらに適合させることができる。例えば、乗員検出システム４２は、車両１２の関連する内部境界４６に対する、乗員頭部５０、または胴部５２の横位置または距離の測度を提供することが可能であり、このことは、関連する頭部５０、または胴部５２の接触時間、すなわち、乗員頭部５０または胴部５２が車両１２の内部境界４６と接触すると予想される時間を推定する上で有益である。
【００７１】
乗員検出システム４２には、様々な検出技術、例えば、視覚センシング、容量性センシング、能動式もしくは受動式赤外線センシング、レーザーセンシング、光学式センシング、無線（レーダー）センシング、マイクロ波センシング、音波（超音波）センシング、多点シート重量分布センシング、または静電センシングを組み込むことができる。例えば、容量性センシングシステム（または電界センシングシステム）においては、関連する電極（単数または複数）を、検出しようとする乗員に最も近接する、内部ルーフもしくはウィンドウの直上のルーフレイル上、またはピラー上（もしくはその他の固定位置）に配置することもできる。その代わりとして、またはそれに追加して、関連する車両シート４８のヘッドレスト位置またはシートバック上部に、電極を配置することもできる。別の例として、例えば、関連する構造化光照明システムと、物体を構造化光との相互作用から検出するための関連するカメラおよび画像処理システムとを組み入れた、視覚システムを用いて、乗員４４を検出することもできる。
【００７２】
乗員の頭部５０または胴部５２と、車両１２の関連する内部境界４６との間の距離の測度を、時間の関数として提供する乗員検出システム４２に対しては、関連する距離を時間経過に対して追跡し、それらから、関連する接触時間を推定することができる。例えば、頭部５０または胴部５２の関連する横速度は、時間に対する関連する位置の変化から推定するるか、またはこの速度を直接的に計測することによって、例えば計測信号のドップラーシフトから、推定することができる。次いで、頭部５０または胴部５２の関連する横加速度を、関連する速度の、時間に対する変化から推定することができる。例えば、関連する速度は、連続的に推定もしくは計測するか、または不連続間隔で推定もしくは計測することができる。次いで、関連する接触時間を、以下の式を時間について解くことによって推定することができる。
【数１９８】
2006501092.tif 000200
ここで、Ｄ（ｔ）は、関連する内部境界４６からの、頭部５０または胴部５２の距離であり、ＶｌａｔｅｒａｌおよびＡｌａｔｅｒａｌはそれぞれ、例えば、関連する距離、速度および加速度の最新の推定値または計測値を使用する、頭部５０または胴部５２の関連する速度および加速度であり、ここで加速度は一定であると仮定している。
【００７３】
ロールオーバ検出システム１０．１には、例えば図１７に示すような、コントローラ５４が組み込まれており、このコントローラは、図２に示す実施態様による、上記にさらに詳細に記述した、横加速度計１８、角速度センサ２０、フィルタ２２、２４、プロセッサ２６、およびメモリ２８を含む。
左５６．１および右５６．２の乗員センサの組が、プロセッサ２６の１つまたは２つ以上の入力ポートに、例えば単独バス４８、多重信号線、または複数の信号ケーブルを介して、動作可能に接続されている。例えば、図１７は、左６０．１および右６０．２両方の第１の乗員センサ、例えば頭上に設置された視覚センサ、ならびに左６２．１および右６１．２の第２の乗員センサ、例えば、関連する左６４．１および右６４．２のドア内に設置された容量性センサを含む、実施態様を示している。各乗員着座場所は、それと関連する２つの異なる乗員センサを有するように示してあるが、乗員センサの特定の数は、限定的なものではない。例えば、別の実施態様においては、検知しようとする各着座場所に、１つだけの乗員センサ５６．１、５６．２があっても、または任意の１つの着座場所に関連して３つ以上の乗員センサがあってもよい。
【００７４】
プロセッサ２６はまた、例えば信号バス６６、多重信号線、または複数の信号ケーブルを介して、関連する組の左３０．１および右３０．２の安全拘束アクチュエータ、例えば、左３２．１および右３２．２のシートベルトプリテンショナ、左３６．１および右３６．２の胴部エアバッグインフレータ、左３８．１および右３８．２のロールカーテン、左４０．１および右４０．２のオーバヘッドエアバッグインフレータに接続されている。プロセッサ２６は、角速度センサ２０および／または横加速度計１８の関連する信号から、ロールの方向を特定し、それによって、車両１２がローリングしている側Ｌ、Ｒにある１つまたは２つ以上の安全拘束アクチュエータ３０を展開することを可能にする。
【００７５】
一般的に、安全拘束アクチュエータ３０は、必要なときだけに展開することが望ましく、それは、不必要な関連する修理コストを回避するため、また、事故状況において乗員４４を保護するために十分なエネルギーを有することが必要な安全拘束アクチュエータ３０の「危険」ゾーン内に位置する乗員４４への悪影響を避けるためである。したがって、安全拘束アクチュエータ３０は、例えば車両の内部（例えば、ウィンドウ、上部ドアレール、天井）との頭部接触によって生じるか、または車両からの放出、または部分的な放出によって生じる乗員への傷害を軽減する便益が、安全拘束アクチュエータ３０の展開による傷害の危険を上回る状況において展開するのが有益である。例えば、エアバッグインフレータによる傷害の危険は、一般的に、エアバッグインフレータからの乗員の距離が減少するにつれて増大する。一般に、関連する安全拘束アクチュエータ３０を、それが乗員４４と相互作用する以前に、完全に展開させることができれば、有益である。異なる安全拘束アクチュエータ３０は、異なる量の展開時間を必要とする可能性がある。例えば、エアバッグインフレータは、関連するエアバッグの大きさに応じて、膨張するのに約２０ミリ秒が必要である。
【００７６】
図１０のデータに示すように、ロールオーバ事象は、一般に、前面または側面衝突よりもはるかに遅く、そのために、ロール事象を検出して、関連する安全拘束アクチュエータ３０（単数または複数）を展開するまでにかなり長い時間が与えられる。例えば、試験Ａにおいて、エネルギーアルゴリズム３００．２が、最初にロール事象を検出した後３６８ミリ秒まで、また安全化アルゴリズム２００がロール事象を確認した後５９ミリ秒まで、頭部接触は発生しなかった。試験Ｄにおいては、測度アルゴリズム３００．１がロール事象を検出した後、９８ミリ秒まで、頭部接触は発生しなった。これらの両方の場合において、関連する頭部接触のかなり以前に、関連する安全拘束アクチュエータ３０（単数または複数）を展開するのに十分な時間があり、それによって、関連する拘束アクチュエータ３０（単数または複数）を、それらと乗員４４との関連する相互作用の以前に、完全に展開させる確率を向上させることができる。しかしながら、ある状況、特にトリップによるロール事象（tripped roll events）、例えば縁石トリップ型ロール事象においては、関連する頭部接触または部分放出の以前に、完全な車両ロールオーバが発生するかどうかを検出するのは不可能である。このことは、例えば、乗員が関連する車両１２の内部境界４６に対してどこに着座しているかによって変わる可能性がある。これらの状況においては、関連する安全拘束アクチュエータ３０（単数または複数）を、それらを頭部接触以前に展開させるように、車両が最終的にロールオーバしない事象に応答して起動される潜在的な危険を冒して、そうでなければ起動されるであろう以前に起動させることによって、頭部接触の後に安全拘束アクチュエータ（単数または複数）３０を展開する結果として生じる悪影響を回避するのが望ましい場合がある。
【００７７】
１つの動作モードによれば、安全化アルゴリズム２００によって確認される、測度アルゴリズム３００．１またはエネルギーアルゴリズム３００．２によるロール事象の検出に応答して、乗員検出システム４２は、車両がロールする左側または右側に乗員がいない場合には、関連する左３０．１または右３０．２の安全拘束アクチュエータ（単数または複数）の起動を禁止することを可能にする。例えば、車両１２の右側に乗員が存在しない場合で、かつ車両１２が右にロールしようとしている場合には、左着座位置に乗員４４が存在しないことを示す、左５６．１乗員センサ（単数または複数）からの入力に応答して、プロセッサ２６は、左３０．１安全拘束アクチュエータ（単数または複数）をロールに応答して起動せず、それによって、不必要に左３０．１安全拘束アクチュエータ（単数または複数）を展開することによる潜在的な悪影響、例えば修理コストを避けることができる。      
【００７８】
別の動作モードによれば、安全拘束アクチュエータ（単数または複数）３０の起動のタイミングを、車両１２の関連する内部境界４６からの乗員４４の距離に応答するか、または検知される乗員運動状態に応答性を有する、予測される頭部または胴部の接触時間に応答するように適合させることができる。例えば、乗員検出システム４２からの乗員位置の測度、またはそこからの乗員位置の予測に応答して、安全拘束システム（単数または複数）３０の起動を、禁止するか、または、さもなければロール事象が検出される時間に対して、遅延もしくは早期化させることができる。
【００７９】
例えば、関連する車両１２の内部境界４６との頭部／胴部接触がさし迫るまで［関連する安全拘束アクチュエータ（単数または複数）をどの程度長く展開させる必要があるかどうかに応じて、接触前１０〜３０ミリ秒程度まで；すなわち、頭部または胴部接触時間が、関連する安全拘束アクチュエータ（単数または複数）３０の展開時間よりも大きい場合には］、いくつかまたはすべての安全拘束アクチュエータ（単数または複数）３０の展開を遅延させて、事象が完全な車両ロールオーバにつながるかどうかの判定または最良の予測をするために、できる限り長い時間をロールオーバ検出システム１０．１に提供することもできる。乗員位置または頭部接触に基づいて展開判断を行うことによって、ロール事象と非ロール事象を正確に区別するために、関連する加速度および角速度の測度を推定するための最大量の時間が、ロールオーバ検出システム１０．１に提供される。
【００８０】
別の例として、乗員検出システム４２によって、さし迫った頭部接触が検出または予期される場合［例えば、頭部／胴部接触時間が、関連する安全拘束アクチュエータ（単数または複数）３０の展開時間よりも小さいか等しい場合］には、いくつかまたはすべての安全拘束アクチュエータ（単数または複数）３０の展開の早期化を、測度アルゴリズム３００．１、エネルギーアルゴリズム３００．２、安全化アルゴリズム２００の関連する１つまたは２つ以上の閾値を、低いが、なお大きいレベルに低減することによって、行うこともできる。例えば、乗員検出システム４２によって、さし迫った頭部接触が検出されるか、または予期される場合には、一組の最小条件が満足される場合、例えば、角速度が、関連する最小閾値、例えば、６０度／秒程度を超える場合、および／または横加速度が、関連する最小閾値、（例えば、少なくとも１０ミリ秒の間において少なくとも１ｇ）を超える場合に、いくつかまたはすべての安全拘束アクチュエータ（単数または複数）３０を展開させることができる。
【００８１】
別の例として、乗員検出システム４２によってさし迫った頭部接触が検出されるか、または予期される場合に、図１２および１５に示す、測度アルゴリズム３００．１およびエネルギーアルゴリズム３００．２それぞれに対する、関連する閾値関数の一方または両方を、乗員検出システム４２を備えないシステムと比較して、低減することもできる。これらの閾値は、乗員頭部接触の計測速度に応じてさらに調整して、その結果として、速い横方向頭部速度に応じて、低い閾値が提供されるようにすることもできる。さし迫った頭部接触が認識されて、かつこれらの小さい閾値を超えた後に、リセットまたは再使用することのできる拘束装置のいずれもが、展開される可能性が高い。代替選択肢として、エアバッグを含む、すべてのロールオーバ拘束装置を、乗員頭部と関連する車両１２の内部境界４６との最初の衝突を防止するのに間に合うように、展開することができる。乗員横運動は、潜在的なロールオーバ事象が進行中であることの別の兆候を示すとともに、ロール速度などのその他の検知信号と独立にロールオーバ安全化測度として依拠することも可能である。
【００８２】
別の例として、安全拘束アクチュエータ（単数または複数）を展開する判断が、頭部または胴部接触が乗員検出システム４２によって検出されるまで、なされない場合には、安全拘束アクチュエータ（単数または複数）３０を、乗員の位置に応じて、選択的に展開することもできる。例えば、シートベルトプリテンショナ３２．１、３２．２またはオーバヘッドエアバッグインフレータ４０．１、４０．２は、車両１２の関連する内部境界４６に寄りかかって位置する乗員に対して比較的無害であるので、これらを、直ちに展開することも可能である。しかしながら、ロールカーテン３８．１、３８．２または胴部エアバッグインフレータ３６．１、３６．２の展開の判断は、乗員４４と関連する車両１２の内部境界４６との間にバッグを適切に展開する機会がもたらされるまで遅延させ、それによって、乗員４４が、安全拘束アクチュエータ３０と車両ドア６４．１、６４．２またはサイドウィンドウ３９．１、３９．２との間に位置するのを防止すると同時に、乗員４４の保護を強化することができる。
【００８３】
本明細書に記載のロール識別アルゴリズムは、関連するテストデータから導いており、そのためにパラメータを抽出した車両とは異なる、他の種類の車両に適用する場合には、調節を必要とする可能性があり、この調節の基準は、例えば、ロールオーバ事象をロバストに、かつ早期に検出することであり、同時にまた可能な程度に、非ロールオーバ事象をロールオーバ事象として誤って識別することを避けることである。本願に記載した様々なパラメータについての特定の値は、それに限定されるものではなく、例えばロールオーバの発生しやすさが異なる、異なる型式の車両に対して変えてもよい。例えば、比較的重心の高い車両、または比較的ホイールベースの狭い車両、例えばスポーツユーティリティビークルなどは、比較的重心の低い、またはホイールベースの広い、例えば乗用セダンよりも、ロールオーバを発生しやすい。さらに、ロールオーバ検出システム１０は、関連の縦方向加速度計およびピッチ速度センサを備えることによって、ピッチオーバ事象、すなわち車両の局所Ｙ軸回りの事象を検知するように適合させることも可能である。
【００８４】
乗員センサは、乗員の存在、位置、推定接触時間または接触速度のいずれかに応答して安全拘束システムの展開の修正を可能にすることによって、改良型ロールオーバ検出システムを可能にし、それによってロールオーバ事象によるか、または関連する安全拘束システムの展開による、乗員傷害の可能性を低減する。
特定の実施態様について詳細を説明したが、当業者であれば、本開示の全般的な教示を参考として、これらの詳細に対する、様々な修正態様および代替手法を開発することが可能であることを理解するであろう。したがって、開示した特定の配設は、説明だけを目的とするものであり、本発明の範囲を限定するものではなく、本発明は添付の特許請求の範囲およびそのすべての均等物の全範囲を授与されるべきである。
【図面の簡単な説明】
【００８５】
【図１ａ】ロール発生開始以前の車両の背面図である。
【図１ｂ】ロール発生中の車両の背面図である。
【図２】ロールオーバ検出システムを示すブロック図である。
【図３】ロールオーバ検出アルゴリズムを示すフロー図である。
【図４】ロールオーバ検出アルゴリズムに組み込まれたデータ収集および処理アルゴリズムを示すフロー図である。
【図５】ロールオーバ検出アルゴリズムに組み込まれた安全化アルゴリズムを示すフロー図である。
【図６】ロールオーバ検出アルゴリズムを示すフロー図である。
【図７】ロールオーバ検出アルゴリズムに組み込まれた、センサ再較正が必要かどうかを判断するためのアルゴリズムを示すフロー図である。
【図８ａ】ロールオーバ検出アルゴリズムの詳細を示す表である。
【図８ｂ】ロールオーバ検出アルゴリズムの詳細を示す表である。
【図８ｃ】ロールオーバ検出アルゴリズムの詳細を示す表である。
【図９ａ】ロールオーバ検出アルゴリズムのパラメータ値の例を示す表である。
【図９ｂ】ロールオーバ検出アルゴリズムのパラメータ値の例を示す表である。
【図１０】様々なロールオーバ事象および非ロールオーバ事象に関連する条件を示す表である。
【図１１ａ】ロールオーバ事象が発生する、テストＡと名づけた螺旋状（corkskrew）ロールオーバテストを受けた車両の、フィルタリングされたロール角速度、ロール角、およびフィルタリングされた横加速度のグラフである。
【図１１ｂ】ロールオーバ事象は発生しない、テストＢと名づけた螺旋状ロールオーバテストを受けた車両の、フィルタリングされたロール角速度、ロール角、およびフィルタリングされた横加速度のグラフである。
【図１１ｃ】ロールオーバ事象は発生しない、テストＣと名づけた減速スレッドテストを受けた車両の、フィルタリングされたロール角速度、ロール角、およびフィルタリングされた横加速度のグラフである。
【図１１ｄ】ロールオーバ事象が発生する、テストＤと名づけた減速スレッドテストを受けた車両の、フィルタリングされたロール角速度、ロール角、およびフィルタリングされた横加速度のグラフである。
【図１２】テストＤのロールオーバ事象およびテストＣの非ロールオーバ事象について、測度アルゴリズムに応じた、ロールオーバ測度の良度指数および関連する展開閾値を時間の関数として示すグラフである。
【図１３】ロール角速度オフセットを含む信号について、ロール角速度を時間の関数として示すグラフである。
【図１４】ロール角速度からロール角を同定する、関連する様々な処理について、図１３のデータに基づいてロール角を時間の関数として示すグラフである。
【図１５】テストＡのロールオーバ事象およびテストＢの非ロールオーバ事象について、エネルギアルゴリズムに従って、ロール角の関数としてのロール角速度と、関連するロールオーバ閾値とを示すグラフである。
【図１６】車両の車室を示す正面図、およびロールオーバ検出システムの別の実施態様を示すブロック図である。
【図１７】図１６に示すロールオーバ検出システムによるコントローラのブロック図である。
【図１ａ】
2006501092.tif 000201
【図１ｂ】
2006501092.tif 000202
【図２】
2006501092.tif 000203
【図３】
2006501092.tif 000204
【図４】
2006501092.tif 000205
【図５】
2006501092.tif 000206
【図６】
2006501092.tif 000207
【図７】
2006501092.tif 000208
【図８ａ】
2006501092.tif 000209
【図８ｂ】
2006501092.tif 000210
【図８ｃ】
2006501092.tif 000211
【図９ａ】
2006501092.tif 000212
【図９ｂ】
2006501092.tif 000213
【図１０】
2006501092.tif 000214
【図１１ａ】
2006501092.tif 000215
【図１１ｂ】
2006501092.tif 000216
【図１１ｃ】
2006501092.tif 000217
【図１１ｄ】
2006501092.tif 000218
【図１２】
2006501092.tif 000219
【図１３】
2006501092.tif 000220
【図１４】
2006501092.tif 000221
【図１５】
2006501092.tif 000222
【図１６】
2006501092.tif 000223
【図１７】
2006501092.tif 000224